(57)【要約】【課題】検出特性が異なる複数の生体データ検出手段を用いて照合を行う場合でも、当該照合を高精度に行うことができる個人照合装置を提供する。【解決手段】選択部５３が、Ｉ／Ｆ部４１を介して認証ユニット５＿１から入力した指紋の検出特徴データを基に、メモリ４２に記憶された照合用特徴データおよび照合用プログラムを選択する。そして、照合部５４が、上記選択した照合用プログラムを実行し、上記入力した検出特徴データと上記選択した照合用特徴データとを用いて照合を行う。【選択図】　　　図３
2004086443.tif 000002
【特許請求の範囲】
【請求項１】
生体データ検出手段で個人の生体データを検出し、当該生体データから特徴を抽出して得られた第１の特徴データを用いて照合を行う個人照合装置であって、
異なる検出特性を有する複数の前記生体データ検出手段にそれぞれ対応した複数の第２の特徴データを記憶する記憶手段と、
前記第１の特徴データを入力する入力手段と、
前記入力手段が入力した前記第１の特徴データの特性に基づいて、前記記憶手段に記憶された複数の前記第２の特徴データのうち、照合に用いる前記第２の特徴データを選択する選択手段と、
所定の照合用プログラムを実行して、前記入力手段が入力した前記第１の特徴データと前記選択手段が選択した前記第２の特徴データとを照合する照合手段と
を有する個人照合装置。
【請求項２】
前記記憶手段は、異なる複数の前記照合用プログラムを記憶し、
前記選択手段は、前記入力手段が入力した前記第１の特徴データの特性に基づいて、前記記憶手段に記憶された複数の前記照合用プログラムのうち、照合に用いる前記照合用プログラムを選択し、
前記照合手段は、前記選択手段が選択した前記照合用プログラムを実行して前記照合を行う
請求項１に記載の個人照合装置。
【請求項３】
前記検出特性は、前記生体データ検出手段の検出精度である
請求項１に記載の個人照合装置。
【請求項４】
認証装置が、所定の検出方法で個人の生体データを検出し、当該生体データから特徴を抽出して得られた第１の特徴データを集積回路に出力する第１の工程と、
前記集積回路が、前記認証装置から入力した前記第１の特徴データの特性に基づいて、当該集積回路の記憶手段に記憶された異なる検出特性を有する複数の前記検出方法にそれぞれ対応した複数の第２の特徴データのうち、照合に用いる前記第２の特徴データを選択する第２の工程と、
前記集積回路が、所定の照合用プログラムを実行して、前記認証装置から入力した前記第１の特徴データと前記第２の工程で選択した前記第２の特徴データとを照合する第３の工程と、
前記認証装置が、前記第３の工程で前記集積回路が行った照合の結果に基づいて、前記個人の認証を行う第４の工程と
を有する個人照合方法。
【請求項５】
前記第２の工程において、前記集積回路が、前記認証装置から入力した前記第１の特徴データの特性に基づいて、前記記憶手段に記憶された異なる複数の前記照合用プログラムのうち、照合に用いる前記照合用プログラムを選択し、
前記第３の工程において、前記集積回路が、前記第２の工程で選択した前記照合用プログラムを実行して前記照合を行う
請求項４に記載の個人照合方法。
【請求項６】
異なる検出特性を有する複数の生体データ検出手段を用いて生体データを検出し、
前記複数の生体データ検出手段を用いて検出された複数の生体データから特徴を抽出してそれぞれ複数の照合用特徴データを生成し、
前記複数の照合用特徴データと、前記複数の照合用特徴データにそれぞれ対応した複数の照合用プログラムを集積回路に書き込む
集積回路発行方法。
【請求項７】
生体データ検出手段で検出された個人の生体データを用いて照合を行う個人照合装置であって、
前記生体データを入力する入力手段と、
前記入力手段が入力した生体データから特徴を抽出して第１の特徴データを生成する特徴データ生成手段と、
異なる検出特性を有する複数の前記生体データ検出手段にそれぞれ対応した複数の第２の特徴データを記憶する記憶手段と、
前記特徴データ生成手段が生成した前記第１の特徴データの特性に基づいて、前記記憶手段に記憶された複数の前記第２の特徴データのうち、照合に用いる前記第２の特徴データを選択する選択手段と、
所定の照合用プログラムを実行して、前記入力手段が入力した前記第１の特徴データと前記選択手段が選択した前記第２の特徴データとを照合する照合手段と
を有する個人照合装置。
【発明の詳細な説明】
【０００１】
【発明の属する技術分野】
本発明は、指紋や声紋などの個人の生体データを用いて、個人照合を行う場合に用いられる個人照合装置およびその方法と集積回路発行方法に関する。
【０００２】
【従来の技術】
例えば、ドアなどの鍵の開錠や、ネットワークを介してサーバ装置にアクセスを行う場合などに、ＩＣ（Ｉｎｔｅｇｒａｔｅｄ　Ｃｉｒｃｕｉｔ）カードなどを用いて権限を有する者であるか否かの個人認証を行う場合がある。
近年、このようなＩＣカードを用いた個人認証システムは、人物の生体データを用いて以下に示すように個人認証を行っている。
先ず、生体データ検出装置が、人物の指紋や声紋などの生体データをセンサを用いて検出し、その検出結果から所定の検出特徴データを抽出する。
そして、生体データ検出装置が、上記検出特徴データをＩＣカードに出力する。
そして、ＩＣカード内で、入力した検出特徴データと、予め記憶した当該人物の照合用特徴データとを照合して個人認証を行う。
このような生体認証システムでは、例えば、人物の指紋が、多数の隆線によって構成され、終生不動かつ万人不同であることや、声紋が万人不同であるという特徴を利用して個人認証を行う。
【０００３】
【発明が解決しようとする課題】
ところで、上述したような生体データを検出するセンサには、様々な感度を持つものがあり、また、センサを用いて検出した生体データから検出特徴データを生成するアルゴリズムにも様々なものがある。
しかしながら、従来では、ＩＣカードは、所定の感度のセンサおよびアルゴリズムを用いて取得した単数の照合用特徴データを保持しており、生体データ検出装置が、当該照合用データを取得した際に用いたセンサおよびアルゴリズムと異なるものを用いている場合に、検出特徴データと照合用特徴データとが一致せず、本人であるにも係わらず、本人ではないと誤って認証してしまう場合があるという問題がある。
このような問題を解決するために、特開平７−１２１７１２号公報には、検出特徴データの品質に応じて、照合方法を切り換える発明が開示されている。しかしながら、照合方法の切り換えだけでは、上述した問題は十分に解決されてない。
【０００４】
本発明はかかる事情に鑑みてなされたものであり、その目的は、検出特性が異なる複数の生体データ検出手段を用いて照合を行う場合でも、当該照合を高精度に行うことができる個人照合装置およびその方法と集積回路発行方法を提供することにある。
【０００５】
【課題を解決するための手段】
上記の目的を達成するために、第１の発明の個人照合装置は、生体データ検出手段で個人の生体データを検出し、当該生体データから特徴を抽出して得られた第１の特徴データを用いて照合を行う個人照合装置であって、異なる検出特性を有する複数の前記生体データ検出手段にそれぞれ対応した複数の第２の特徴データを記憶する記憶手段と、前記第１の特徴データを入力する入力手段と、前記入力手段が入力した前記第１の特徴データの特性に基づいて、前記記憶手段に記憶された複数の前記第２の特徴データのうち、照合に用いる前記第２の特徴データを選択する選択手段と、所定の照合用プログラムを実行して、前記入力手段が入力した前記第１の特徴データと前記選択手段が選択した前記第２の特徴データとを照合する照合手段とを有する。
【０００６】
第１の発明の個人照合装置の作用は以下のようになる。
入力手段が、第１の特徴データを入力する。
そして、選択手段が、前記入力手段が入力した前記第１の特徴データの特性に基づいて、記憶手段に記憶された複数の前記第２の特徴データのうち、照合に用いる前記第２の特徴データを選択する。
そして、照合手段が、所定の照合用プログラムを実行して、前記入力手段が入力した前記第１の特徴データと前記選択手段が選択した前記第２の特徴データとを照合する。
【０００７】
また、第１の発明の個人照合装置は、好ましくは、前記記憶手段は、異なる複数の前記照合用プログラムを記憶し、前記選択手段は、前記入力手段が入力した前記第１の特徴データの特性に基づいて、前記記憶手段に記憶された複数の前記照合用プログラムのうち、照合に用いる前記照合用プログラムを選択し、前記照合手段は、前記選択手段が選択した前記照合用プログラムを実行して前記照合を行う。
また、第１の発明の個人照合装置は、好ましくは、前記検出特性は、前記生体データ検出手段の検出精度である。
【０００８】
第２の発明の個人照合方法は、認証装置が、所定の検出方法で個人の生体データを検出し、当該生体データから特徴を抽出して得られた第１の特徴データを集積回路に出力する第１の工程と、前記集積回路が、前記認証装置から入力した前記第１の特徴データの特性に基づいて、当該集積回路の記憶手段に記憶された異なる検出特性を有する複数の前記検出方法にそれぞれ対応した複数の第２の特徴データのうち、照合に用いる前記第２の特徴データを選択する第２の工程と、前記集積回路が、所定の照合用プログラムを実行して、前記認証装置から入力した前記第１の特徴データと前記第２の工程で選択した前記第２の特徴データとを照合する第３の工程と、前記認証装置が、前記第３の工程で前記集積回路が行った照合の結果に基づいて、前記個人の認証を行う第４の工程とを有する。
【０００９】
第２の発明の個人照合方法は、好ましくは、前記第２の工程において、前記集積回路が、前記認証装置から入力した前記第１の特徴データの特性に基づいて、前記記憶手段に記憶された異なる複数の前記照合用プログラムのうち、照合に用いる前記照合用プログラムを選択し、前記第３の工程において、前記集積回路が、前記第２の工程で選択した前記照合用プログラムを実行して前記照合を行う。
【００１０】
第３の発明の集積回路発行方法は、異なる検出特性を有する複数の生体データ検出手段を用いて生体データを検出し、前記複数の生体データ検出手段を用いて検出された複数の生体データから特徴を抽出してそれぞれ複数の照合用特徴データを生成し、前記複数の照合用特徴データと、前記複数の照合用特徴データにそれぞれ対応した複数の照合用プログラムを集積回路に書き込む。
【００１１】
第４の発明の個人照合装置は、生体データ検出手段で検出された個人の生体データを用いて照合を行う個人照合装置であって、前記生体データを入力する入力手段と、前記入力手段が入力した生体データから特徴を抽出して第１の特徴データを生成する特徴データ生成手段と、異なる検出特性を有する複数の前記生体データ検出手段にそれぞれ対応した複数の第２の特徴データを記憶する記憶手段と、前記特徴データ生成手段が生成した前記第１の特徴データの特性に基づいて、前記記憶手段に記憶された複数の前記第２の特徴データのうち、照合に用いる前記第２の特徴データを選択する選択手段と、所定の照合用プログラムを実行して、前記入力手段が入力した前記第１の特徴データと前記選択手段が選択した前記第２の特徴データとを照合する照合手段とを有する。
【００１２】
【発明の実施の形態】
以下、本発明の実施形態に係わる認証システムについて説明する。
図１は、本実施形態の認証システム１を説明するための図である。
図１に示す認証システム１は、例えば、登録・更新装置２、ＩＣカード４、ＡＴＭ７＿１および携帯電話装置７＿２を用いて個人認証を行う。
なお、実際には、それぞれ複数のＩＣカード４、ＡＴＭ７＿１および携帯電話装置７＿２が用いられる。
また、ＡＴＭ７＿１および携帯電話装置７＿２以外にも、認証ユニット５＿１，５＿２と同様の認証ユニットを内蔵したアクセスゲート装置（ドアゲート）、通信機能付きゲーム機、コンピュータ、クレジット端末装置、免許証や許可証などのＩＤ判定機、固定式の電話装置、ＰＤＡ（Ｐｅｒｓｏｎａｌ　Ｄｉｇｉｔａｌ　Ａｓｓｉｓｔａｎｔｓ）　、個人用音楽端末装置、カメラ、モバイルコンピュータ、自動販売機、自動車、家電製品などを用いてもよい。
なお、本実施形態では、ＩＣカード４に内蔵されたＩＣ３および認証ユニット５＿１，５＿２が、個人の指紋データを基に個人認証を行う場合を例示するが、指紋データ以外にも、マイクなどで検出される個人の声紋データ、カメラなどで検出される個人の虹彩や顔のイメージデータ、ペンやタブレットなどを用いて検出される個人の筆跡データなどのその他の生体データを用いて個人認証を行ってもよい。
また、本実施形態では、ＩＣ３がＩＣカード４に内蔵されている場合を例示するが、携帯電話装置などの携帯型の装置内に内蔵されていてもよい。
ＩＣカード４は、例えば、ＳＩＭ（Ｓｕｂｓｃｒｉｂｅｒ　Ｉｄｅｎｔｉｔｙ　Ｍｏｄｕｌｅ）カードなどである。
【００１３】
ここで、認証ユニット５＿１，５＿２が本発明の認証装置に対応し、ＩＣ３が本発明の個人認証装置および集積回路に対応している。
【００１４】
〔登録・更新装置２〕
図２は、図１に示す登録・更新装置２の構成図である。
図２に示すように、登録・更新装置２は、例えば、バス２０を介してセンサ２１＿１，２１＿２、特徴抽出部２２＿１，２２＿２、登録・更新部２３、データベース２４およびカード発行部２５が接続され、これらの間のデータ授受をバス２０を介して行う。
なお、特徴抽出部２２＿１，２２＿２、登録・更新部２３およびカード発行部２５の機能の全部または一部を、ＣＰＵ（Ｃｅｎｔｒａｌ　Ｐｒｏｃｅｓｓｉｎｇ　Ｕｎｉｔ）　などの演算回路でプログラムを実行する形態で実現してもよい。
【００１５】
センサ２１＿１は、例えば、撮像式、感熱式、感圧式などの所定の方式で、第１のセンサ感度（例えば、５００ｄｐｉ）　で個人の手の指の第１の指紋データを検出する。
センサ２１＿２は、例えば、撮像式、感熱式、感圧式などの所定の方式で、第２のセンサ感度（例えば、８００ｄｐｉ）　で個人の手の指の第２の指紋データを検出する。
特徴抽出部２２＿１は、センサ２１＿１から入力した上記第１の指紋データを基に、第１の特徴抽出プログラムを実行して、上記個人の手の指の指紋の所定の特徴を抽出した第１の照合用特徴データを生成する。
特徴抽出部２２＿２は、センサ２１＿２から入力した上記第２の指紋データを基に、第２の特徴抽出プログラムを実行して、上記個人の手の指の指紋の所定の特徴を抽出した第２の照合用特徴データを生成する。
【００１６】
登録・更新部２３は、例えば、個人を登録してＩＣカード４を発行したり、ＩＣカード４のＩＣ３に記憶された照合用特徴データや、照合用プログラムを更新するための処理を行う。
登録・更新部２３は、上述した第１の照合用特徴データおよび第２の照合用特徴データ、これらにそれぞれ対応した第１の照合用プログラムおよび第２の照合用プログラムをＩＣカード４のＩＣ３に書き込むことで、上記個人の登録処理を行う。
【００１７】
データベース２４は、登録された個人の個人データや、当該個人に発行したＩＣカード４のＩＣ３に書き込んだ第１の照合用特徴データおよび第２の照合用特徴データ、並びに上記第１の照合用プログラムおよび第２の照合用プログラムを識別するためのデータを検索可能な形式で保持する。
カード発行部２５は、登録した個人に発行するＩＣカード４のＩＣ３に、当該個人について対応する上記第１の照合用特徴データおよび第２の照合用特徴データ、並びに上記第１の照合用プログラムおよび第２の照合用プログラムを書き込む。
【００１８】
〔ＡＴＭ７＿１〕
図１に示すように、ＡＴＭ７＿１は、認証ユニット５＿１およびＡＴＭ処理ユニット６＿１を有する。
認証ユニット５＿１は、図３に示すように、例えば、バス３０を介してセンサ３１＿１、特徴抽出部３２＿１、メモリ３３、認証部３４、Ｉ／Ｆ部３５およびＩ／Ｆ部３６が接続され、これらの間のデータ授受をバス３０を介して行う。
なお、特徴抽出部３２＿１および認証部３４の機能の全部または一部を、ＣＰＵなどの演算回路でプログラムを実行する形態で実現してもよい。
【００１９】
センサ３１＿１は、例えば、撮像式、感熱式、感圧式などの所定の方式で、第１のセンサ感度（例えば、５００ｄｐｉ）　で個人の手の指の第１の指紋データを検出する。
特徴抽出部３２＿１は、センサ３１＿１から入力した第１の指紋データを基に、上記第１の特徴抽出プログラムを実行して、上記個人の手の指の指紋の所定の特徴を抽出した第１の検出特徴データを生成する。
認証部３４は、Ｉ／Ｆ部３５にＩＣ３が接続された状態で、特徴抽出部３２＿１が生成した第１の検出特徴データを、Ｉ／Ｆ部３５を介してＩＣ３に出力する。
また、認証部３４は、Ｉ／Ｆ部３５を介してＩＣ３から入力した照合結果信号を基に、当該照合結果信号が一致を示している場合には、正当な個人であることを示す認証結果信号を、Ｉ／Ｆ部３６を介してＡＴＭ処理ユニット６＿１に出力する。一方、認証部３４は、当該照合結果信号が不一致を示している場合には、正当な個人ではないことを示す認証結果信号を、Ｉ／Ｆ部３６を介してＡＴＭ処理ユニット６＿１に出力する。
Ｉ／Ｆ部３５は、ＩＣカード４が認証ユニット５＿１にセットされた状態で、ＩＣ３のＩ／Ｆ４１との間でデータの授受を行う。
Ｉ／Ｆ部３６は、ＡＴＭ処理ユニット６＿１との間でデータの授受を行う。
【００２０】
ＡＴＭ処理ユニット６＿１は、認証ユニット５＿１に認証要求を出力し、それに応じた認証ユニット５＿１から入力した認証結果信号を基に、ＡＴＭ処理を行う。
具体的には、ＡＴＭ処理ユニット６＿１は、認証ユニット５＿１から入力した認証結果信号が正当な個人であることを示す場合には、当該個人から受けた指示に応じたＡＴＭ処理を行う。一方、ＡＴＭ処理ユニット６＿１は、当該認証結果信号が正当な個人ではないことを示す場合には、ＡＴＭ処理を行えない旨を当該個人に通知する。
【００２１】
〔携帯電話装置７＿２〕
図１に示すように、携帯電話装置７＿２は、認証ユニット５＿２および通信処理ユニット６＿２を有する。
認証ユニット５＿２は、図４に示すように、例えば、バス４０を介してセンサ３１＿２、特徴抽出部３２＿２、メモリ４３、認証部４４、Ｉ／Ｆ部４５およびＩ／Ｆ部４６が接続され、これらの間のデータ授受をバス４０を介して行う。
センサ３１＿２は、例えば、撮像式、感熱式、感圧式などの所定の方式で、第２のセンサ感度（例えば、８００ｄｐｉ）　で個人の手の指の第２の指紋データを検出する。
特徴抽出部３２＿２は、センサ３１＿２から入力した第２の指紋データを基に、上記第２の特徴抽出プログラムを実行して、上記個人の手の指の指紋の所定の特徴を抽出した第２の検出特徴データを生成する。
メモリ４３、認証部４４、Ｉ／Ｆ部４５およびＩ／Ｆ部４６は、上記第２の指紋データに関して処理や記憶を行う点を除いて、前述したメモリ３３、Ｉ／Ｆ部３５および認証部３４とそれぞれ同じである。
【００２２】
〔ＩＣ３〕
図３に示すように、ＩＣ３は、例えば、Ｉ／Ｆ部４１、メモリ４２、選択部５３および照合部５４を有する。
ＩＣ３は、例えば、耐タンパ回路であり、内部のデータおよび処理を外部から監視および取得することが困難な構成を有している。
ここで、Ｉ／Ｆ部４１が本発明の入力手段に対応し、メモリ４２が本発明の記憶手段に対応し、選択部５３が本発明の選択手段に対応し、照合部５４が本発明の照合手段に対応している。
【００２３】
Ｉ／Ｆ部４１は、ＩＣ３がＡＴＭ７＿１および携帯電話装置７＿２にセットされた状態で、それぞれＡＴＭ７＿１および携帯電話装置７＿２のＩ／Ｆ部３５およびＩ／Ｆ部４５とデータの授受を行う。
メモリ４２は、例えば、登録・更新装置２によって登録および更新時に書き込まれた上述した第１の照合用特徴データおよび第２の照合用特徴データ、並びに、これらにそれぞれ対応した第１の照合用プログラムおよび第２の照合用プログラムを記憶する。
ここで、第１の照合用プログラムは、指紋の隆線のパターンを基に照合を行うものである。また、第２の照合用プログラムは、指紋の隆線のパターンに加えて、指汗線のパターンを基に照合を行うものである。
【００２４】
選択部５３は、認証ユニット５＿１から第１の検出特徴データ、あるいは認証ユニット５＿２から第２の検出特徴データを入力し、これらの検出特徴データのデータサイズを基に、第１の照合用特徴データおよび第２の照合用特徴データのうち何れか一つ、並びに第１の照合用プログラムおよび第２の照合用プログラムのうち何れか一つを選択する。
具体的には、選択部５３は、上記データサイズが第１の検出特徴データのデータサイズであると判断すると、第１の照合用特徴データおよび第１の照合用プログラムを選択する。
また、選択部５３は、上記データサイズが第２の検出特徴データのデータサイズであると判断すると、第２の照合用特徴データおよび第２の照合用プログラムを選択する。
なお、認証ユニット５＿１，５＿２の認証部３４，４４が、第１の検出特徴データおよび第２の検出特徴データの何れであるかを示す識別データをＩＣ３に出力する場合には、選択部５３は、Ｉ／Ｆ部４１を介して入力した当該識別データを基に、選択部５３が、第１の照合用特徴データおよび第２の照合用特徴データのうち何れか一つ、並びに第１の照合用プログラムおよび第２の照合用プログラムのうち何れか一つを選択する。
【００２５】
照合部５４は、Ｉ／Ｆ部４１を介して第１の検出特徴データが入力された場合には、選択部５３で選択された第１の照合用プログラムを実行し、当該第１の検出特徴データと、選択部５３で選択された第１の照合用特徴データとを照合し、当該照合の結果を示す照合結果信号を、Ｉ／Ｆ部４１を介して認証ユニット５＿１に出力する。
照合部５４は、Ｉ／Ｆ部４１を介して第２の検出特徴データが入力された場合には、選択部５３で選択された第２の照合用プログラムを実行し、当該第２の検出特徴データと、選択部５３で選択された第２の照合用特徴データとを照合し、当該照合の結果を示す照合結果信号を、Ｉ／Ｆ部４１を介して認証ユニット５＿２に出力する。
【００２６】
以下、図１に示す認証システム１の動作例を説明する。
〔第１の動作例〕
当該動作例では、登録・更新装置２において個人の登録を行い、ＡＴＭ７＿１がＩＣカード４を用いて個人認証を行う場合を説明する。
図５は、当該動作例を説明するためのフローチャートである。
ステップＳＴ１：
登録・更新装置２が、個人の登録を行い、ＩＣカード４を発行する。
具体的には、登録・更新装置２のセンサ２１＿１が、第１のセンサ感度（例えば、５００ｄｐｉ）　で個人の手の指の第１の指紋データを検出する。
そして、特徴抽出部２２＿１が、センサ２１＿１から入力した上記第１の指紋データを基に、第１の特徴抽出プログラムを実行して、上記個人の手の指の指紋の所定の特徴を抽出した第１の照合用特徴データを生成する。
また、センサ２１＿２が、第２のセンサ感度（例えば、８００ｄｐｉ）　で個人の手の指の第２の指紋データを検出する。
そして、特徴抽出部２２＿２が、センサ２１＿２から入力した上記第２の指紋データを基に、第２の特徴抽出プログラムを実行して、上記個人の手の指の指紋の所定の特徴を抽出した第２の照合用特徴データを生成する。
そして、登録・更新部２３が、上述した第１の照合用特徴データおよび第２の照合用特徴データ、並びに、これらにそれぞれ対応した第１の照合用プログラムおよび第２の照合用プログラムをＩＣカード４のＩＣ３のメモリ４２に書き込むことで、個人の登録処理を行う。
ＩＣカード４は、当該個人に渡される。
【００２７】
ステップＳＴ２：
当該個人が、例えば、ＡＴＭ７＿１の認証ユニット５＿１のセンサ３１＿１に指を当てる。
センサ３１＿１が、第１のセンサ感度（例えば、５００ｄｐｉ）　で個人の手の指の第１の指紋データを検出する。
【００２８】
ステップＳＴ３：
認証ユニット５＿１の特徴抽出部３２＿１が、センサ３１＿１から入力した第１の指紋データを基に、上記第１の特徴抽出プログラムを実行して、上記個人の手の指の指紋の所定の特徴を抽出した第１の検出特徴データを生成する。
【００２９】
ステップＳＴ４：
認証ユニット５＿１の認証部３４が、Ｉ／Ｆ部３５にＩＣ３が接続された状態で、特徴抽出部３２＿１が生成した第１の検出特徴データを、Ｉ／Ｆ部３５を介してＩＣ３に出力する。
【００３０】
ステップＳＴ５：
図３に示すＩＣ３のＩ／Ｆ部４１が当該第１の検出特徴データを入力し、選択部５３が、第１の検出特徴データのデータサイズを基に、第１の照合用特徴データを選択する。
【００３１】
ステップＳＴ６：
ＩＣ３の選択部５３が、第１の検出特徴データのデータサイズを基に、第１の照合用プログラムを選択する。
【００３２】
ステップＳＴ７：
ＩＣ３の照合部５４が、ステップＳＴ６で選択した第１の照合用プログラムを実行し、ステップＳＴ４で入力した第１の検出特徴データと、ステップＳＴ５で選択した第１の照合用特徴データとを照合し、当該照合の結果を示す照合結果信号を生成する。
【００３３】
ステップＳＴ８：
ＩＣ３の照合部５４が、Ｉ／Ｆ部４１を介して認証ユニット５＿１に、ステップＳＴ７で生成した照合結果信号を出力する。
【００３４】
ステップＳＴ９：
認証ユニット５＿１の認証部３４が、ステップＳＴ８で入力した照合結果信号を基に、当該照合結果信号が一致を示している場合には、正当な個人であることを示す認証結果信号を、Ｉ／Ｆ部３６を介してＡＴＭ処理ユニット６＿１に出力する。一方、認証部３４は、当該照合結果信号が不一致を示している場合には、正当な個人ではないことを示す認証結果信号を、Ｉ／Ｆ部３６を介してＡＴＭ処理ユニット６＿１に出力する。
そして、ＡＴＭ処理ユニット６＿１が、認証ユニット５＿１から入力した認証結果信号が正当な個人であることを示す場合には、当該個人から受けた指示に応じたＡＴＭ処理を行う。一方、ＡＴＭ処理ユニット６＿１は、当該認証結果信号が正当な個人ではないことを示す場合には、ＡＴＭ処理を行えない旨を当該個人に通知する。
【００３５】
〔第２の動作例〕
当該動作例では、携帯電話装置７＿２がＩＣカード４を用いて個人認証を行う場合を説明する。
当該動作例は、ＩＣ３が図４に示す認証ユニット５＿２と通信を行う点を除いて、基本的に第１の動作例と同じである。
以下、当該動作例における図５に示すステップＳＴ２〜ＳＴ９の処理を説明する。
ステップＳＴ２：
当該個人が、例えば、携帯電話装置７＿２の認証ユニット５＿２のセンサ３１＿２に指を当てる。
センサ３１＿２が、第２のセンサ感度（例えば、８００ｄｐｉ）で個人の手の指の第２の指紋データを検出する。
【００３６】
ステップＳＴ３：
認証ユニット５＿２の特徴抽出部３２＿２が、センサ３１＿２から入力した第２の指紋データを基に、上記第２の特徴抽出プログラムを実行して、上記個人の手の指の指紋の所定の特徴を抽出した第２の検出特徴データを生成する。
【００３７】
ステップＳＴ４：
認証ユニット５＿２の認証部４４が、Ｉ／Ｆ部４５にＩＣ３が接続された状態で、特徴抽出部３２＿２が生成した第２の検出特徴データを、Ｉ／Ｆ部４５を介してＩＣ３に出力する。
【００３８】
ステップＳＴ５：
図３に示すＩＣ３のＩ／Ｆ部４１が当該第２の検出特徴データを入力し、選択部５３が、第２の検出特徴データのデータサイズを基に、第２の照合用特徴データを選択する。
【００３９】
ステップＳＴ６：
ＩＣ３の選択部５３が、第２の検出特徴データのデータサイズを基に、第２の照合用プログラムを選択する。
【００４０】
ステップＳＴ７：
ＩＣ３の照合部５４が、ステップＳＴ６で選択した第２の照合用プログラムを実行し、ステップＳＴ４で入力した第２の検出特徴データと、ステップＳＴ５で選択した第２の照合用特徴データとを照合し、当該照合の結果を示す照合結果信号を生成する。
【００４１】
ステップＳＴ８：
ＩＣ３の照合部５４が、Ｉ／Ｆ部４１を介して認証ユニット５＿２に、ステップＳＴ７で生成した照合結果信号を出力する。
【００４２】
ステップＳＴ９：
認証ユニット５＿２の認証部４４が、ステップＳＴ８で入力した照合結果信号を基に、当該照合結果信号が一致を示している場合には、正当な個人であることを示す認証結果信号を、Ｉ／Ｆ部４６を介して通信処理ユニット６＿２に出力する。一方、認証部４４は、当該照合結果信号が不一致を示している場合には、正当な個人ではないことを示す認証結果信号を、Ｉ／Ｆ部４６を介して通信処理ユニット６＿２に出力する。
そして、通信処理ユニット６＿２が、認証ユニット５＿２から入力した認証結果信号が正当な個人であることを示す場合には、当該個人から受けた指示に応じた通信処理を行う。一方、通信処理ユニット６＿２は、当該認証結果信号が正当な個人ではないことを示す場合には、通信処理を行えない旨を当該個人に通知する。
【００４３】
以上説明したように、認証システム１によれば、登録時に、登録・更新装置２が、第１のセンサ感度を持つセンサ２１＿１と第２のセンサ感度を持つセンサ２１＿２による指紋データからそれぞれ得た第１の照合用特徴データおよび第２の照合用特徴データ、並びにそれぞれに対応した第１の照合用プログラムおよび第２の照合用プログラムを、図３に示すＩＣ３のメモリ４２に書き込む。
そして、ＩＣカード４を用いて第１のセンサ感度のセンサ３１＿１を有する認証ユニット５＿１を用いて認証を行う場合に、ＩＣ３が第１のセンサ感度に対応した第１の検出特徴データおよび第１の照合用プログラムを自動的に選択して照合を行う。
また、ＩＣカード４を用いて第２のセンサ感度のセンサ３１＿２を有する認証ユニット５＿２を用いて認証を行う場合に、ＩＣ３が第２のセンサ感度に対応した第２の検出特徴データおよび第２の照合用プログラムを自動的に選択して照合を行う。
【００４４】
そのため、認証システム１によれば、認証ユニット５＿１および５＿２のいずれに対しても、これらの認証ユニットが用いるセンサのセンサ感度に適合した照合用特徴データおよび照合用プログラムをＩＣ３内で選択的に使用でき、照合の精度を高めることができる。
すなわち、従来のように、ＩＣが第１のセンサ感度あるいは第２のセンサ感度の何れか一方のセンサ感度に対応した照合用特徴データおよび照合用プログラムのみを有している場合には、当該一方のセンサ感度のセンサを用いた認証ユニットに対しては高精度な照合を行うことができるが、他方のセンサ感度のセンサを用いた認証ユニットに対しては低い照合の精度しか得られない。これに対して、認証システム１によれば、第１のセンサ感度および第２のセンサ感度のいずれのセンサを用いた認証ユニットの双方において、高い照合精度を得ることができる。
また、認証システム１によれば、ＩＣ３が検出特徴データおよび照合用プログラムの選択を自動的に行うため、これらの選択に伴うユーザの負担はない。
【００４５】
本発明は上述した実施形態には限定されない。
例えば、上述した実施形態では、２種類のセンサ感度に対応した照合用特徴データおよび照合用プログラムをＩＣ３に記憶した場合を例示したが、３種類以上のセンサ感度に対応した照合用特徴データおよび照合用プログラムをＩＣ３に記憶して選択的に使用してもよい。
【００４６】
また、上述した実施形態では、図２および図３を用いて説明したように、認証ユニット５＿１，５＿２においてセンサで検出した第１の指紋データから第１の検出特徴データを生成してＩＣ３に出力する場合を例示した。
本発明は、ＩＣ３内に特徴抽出部を設け、認証ユニット５＿１，５＿２においてセンサで検出した第１の指紋データをＩＣ３に出力することで、ＩＣ３の特徴抽出部において第１の検出特徴データを生成してもよい。この場合に、ＩＣ３は、第１の指紋データの検出特性に応じて、異なる特徴抽出アルゴリズムを持つ複数の特徴抽出プログラムを選択的に用いて第１の検出特徴データを生成してもよいし、単数の特徴抽出プログラムを用いて第１の検出特徴データを生成してもよい。
【００４７】
【発明の効果】
本発明によれば、検出特性が異なる複数の生体データ検出手段を用いて照合を行う場合でも、当該照合を高精度に行うことができる個人照合装置およびその方法と集積回路発行方法を提供することができる。
【図面の簡単な説明】
【図１】図１は、本発明の実施形態の認証システムを説明するための図である。
【図２】図２は、図１に示す登録・更新装置の構成図である。
【図３】図３は、図１に示す認証ユニット５＿１およびＩＣの機能ブロック図である。
【図４】図４は、図１に示す認証ユニット５＿２の機能ブロック図である。
【図５】図５は、図１に示す認証システムの動作例を説明するための図である。
【符号の説明】
２…登録・更新装置、３…ＩＣ、４…ＩＣカード、５＿１，５＿２…認証ユニット、６＿１，６＿２…通信処理ユニット、７＿１…ＡＴＭ、７＿２…携帯電話装置
２１＿１，２１＿２…センサ、２２＿１，２２＿２…特徴抽出部、２３…登録・更新部、２４…データベース、２５…カード発行部
３１＿１…センサ、３２＿１…特徴抽出部、３３…メモリ、３４…認証部、３５…Ｉ／Ｆ部、３６…Ｉ／Ｆ部
３１＿２…センサ、３２＿２…特徴抽出部、４３…メモリ、４４…認証部、４５…Ｉ／Ｆ部、４６…Ｉ／Ｆ部
４１…Ｉ／Ｆ部、４２…メモリ、５３…選択部、５４…照合部
【図１】
2004086443.tif 000003
【図２】
2004086443.tif 000004
【図３】
2004086443.tif 000005
【図４】
2004086443.tif 000006
【図５】
2004086443.tif 000007